(57)【要約】      （修正有）【課題】長尺状の架台ユニットを横並びに配置して梁部材により連結する簡易な構造を基本とし、組み立てが容易で重量やコストの削減を図るとともに、ぐらつきが少なく設置作業の容易な防振架台を提供する。【解決手段】互いに対をなす架台ユニット１の上架台２同士を連結するよう、その両端部間にそれぞれ直線的に梁部材７を架け渡す。一例として梁部材７は丸棒材であり、その両端には各々下向きに折り曲げた軸部７ａを設ける。この軸部７ａの付け根付近で梁部材７を、上架台２の端部のブラケット５に設けた嵌合部に嵌め込む。軸部７ａは、ブラケット５の床部、その下方の耐震ストッパ機構６のガイドプレート及び下架台３のベースプレート等の丸穴に嵌め入れる。【選択図】図１
2011007232.tif 000002
【特許請求の範囲】
【請求項１】
各々長尺状の上架台及び下架台の間に防振体を介在させてなる一対の架台ユニットが、横並びに配設されるとともに、互いに対をなす上架台ないし下架台の両端部同士が梁部材によって連結されている防振架台であって、
前記梁部材の両端部には、それぞれ、上架台の端部の嵌合部に嵌め合わされる上被嵌部と、下架台の端部の嵌合部に嵌め合わされる下被嵌部と、が設けられていることを特徴とする防振架台。
【請求項２】
前記梁部材は、対をなす上架台の端部間に直線的に架け渡されていて、その両端部からそれぞれ下方に延びる丸棒状の軸部が、前記下架台の嵌合部である丸穴に嵌め込まれている、請求項１の防振架台。
【請求項３】
前記上架台の嵌合部は、前記梁部材の上被嵌部が上方から嵌め込まれて所定の嵌合位置で固定されるように構成され、
前記上架台及び下架台の少なくとも一方には、前記梁部材を前記嵌合位置から所定量、持ち上げた状態で当該梁部材の軸部を回動自在に保持する保持部が設けられている、
請求項２の防振架台。
【請求項４】
前記梁部材が第１及び第２の２つの部材に分割され、かつ該両部材同士が水平方向に折り畳み可能に連結されている、請求項２又は３のいずれかの防振架台。
【請求項５】
前記第１部材が梁部材の長手方向全体に亘るものであり、この第１部材の途中に第２部材の端部が回動可能に連結されている、請求項４の防振架台。
【請求項６】
前記梁部材のいずれか一方の端部において軸部は、該梁部材の長手方向にスライド移動可能に設けられた別体の軸部材からなる、請求項２〜５のいずれか１つの防振架台。
【請求項７】
前記梁部材の他方の端部において軸部が梁部材の側方に偏位して設けられている、請求項６の防振架台。
【請求項８】
前記梁部材の下被嵌部と前記下架台の嵌合部との間には弾性体が介在されている、請求項１〜７のいずれか１つの防振架台。
【発明の詳細な説明】
【技術分野】
【０００１】
本発明は、例えば空調装置等、振動の大きな設備機器を設置するための防振架台に関し、特に長尺状の架台ユニットを２つ並べて連結した構造のものに係る。
【背景技術】
【０００２】
従来より、この種の防振架台としてはコストの低減を図るとともに、運搬時の利便性を考慮して分解できるように、その構成部材を溶接ではなく、ボルト等により締結する構造としたものがある。例えば特許文献１に記載のものでは、載架枠や基台枠を構成する枠材同士をコーナー部において突き合わせ、連結金具を介してネジにより締結するようにしている。
【０００３】
しかし、前記文献に記載のものでは、載架枠及び基台枠の双方を矩形の枠状に構成しているため、全体として重量が嵩むことになり運搬時の利便性はあまり高いとは言えないし、設置場所での組み立てにも手間が掛かる。また、コストの削減も十分とは言い難い。
【０００４】
この点、例えば特許文献２、３に開示されるように、長尺の架台ユニット（防振ユニット、レール形防振台）を横に並べて、その上に設備機器を搭載する構成とすれば、軽量で運搬しやすく、組み立てに手間の掛かることもないし、コストも大幅に削減可能である。
【０００５】
そうした場合に各架台ユニットの下架台（下部支持部材、基台）は、アンカーボルトによって基礎に固定することになり、一方、上架台（上部支持部材、架台）は機器の底部に固定することになるが、機器の底部は剛性の不足することもあるので、上架台同士の間には梁部材を架け渡して連結することが考えられる。
【先行技術文献】
【特許文献】
【０００６】
【特許文献１】特開２００１−３０４３３５号公報
【特許文献２】特開平７−１３９５８９号公報
【特許文献３】実開昭５５−０３９８７０号公報
【発明の概要】
【発明が解決しようとする課題】
【０００７】
しかしながら、前記後者の従来例（特許文献２、３）のように、一対の架台ユニットを並べたり、その上架台同士を梁部材によって連結しただけでは、架台ユニットがぐらつきやすく、設置作業が非常にやり難いという問題がある。例えば並べた架台ユニットの上に仮置きした機器を横にずらそうとすると、架台ユニットが捩れてぐらつくことになるし、下架台をアンカー固定する前であれば架台ユニットが倒れる心配もある。
【０００８】
このような不具合は、前者の従来例のように下架台同士も梁部材によって連結する構造とすれば概ね解消できると思われるが、これでは重量やコストの削減が不十分になってしまい、組み立てにも手間の掛かることは上述した通りである。
【０００９】
本発明は斯かる点に鑑みてなされたもので、長尺状の架台ユニットを横並びに設けた簡易な構造を基本とし、組み立ての手間が掛からず重量やコストを十分に削減できるものでありながら、ぐらつきが少なく設置作業の容易な防振架台を提供することにある。
【課題を解決するための手段】
【００１０】
前記の目的を達成するために本発明では、一対の架台ユニットの上架台若しくは下架台同士を連結するように梁部材を設けるとともに、その両端部に上下それぞれの被嵌部を設けて、上架台及び下架台の双方に嵌め合わせるようにした。
【００１１】
すなわち、請求項１の発明は、各々長尺状の上架台及び下架台の間に防振体を介在させてなる一対の架台ユニットが、横並びに配設されるとともに、互いに対をなす上架台ないし下架台の両端部同士が梁部材によって連結されている防振架台を対象として、その梁部材の両端部にそれぞれ、上架台の端部の嵌合部に嵌め合わされる上被嵌部と、下架台の端部の嵌合部に嵌め合わされる下被嵌部と、を設けたものである。
【００１２】
斯かる構成の防振架台では、例えば上架台の両端部をぞれぞれ梁部材によって連結することで、全体として矩形の枠状として剛性を確保しやすいのみならず、その梁部材の端部には、上架台に嵌合する上被嵌部の他に下架台に嵌合する下被嵌部も設けられていて、これにより上下の架台同士が連結されているので、架台ユニットの捩れに対する剛性が高くなって、その倒れ防止が図られる。
【００１３】
好ましくは、対をなす上架台の端部間に梁部材を直線的に架け渡すことであり、こうすれば、機器が直接、搭載される上架台の剛性を確保しやすい。そして、梁部材の両端部にはそれぞれ下方に延びる丸棒状の軸部を設けて、これを下架台の丸穴（嵌合部）に上方から嵌め込む構造とするのがよい（請求項２）。こうすれば、横並びに配置した一対の架台ユニットに対し梁部材を上方から容易に取り付けることができる。また、その軸部を中心として梁部材を水平方向に回動させることにより、架台ユニット同士を梁部材によって連結したままコンパクトに折り畳むことができるようになる。
【００１４】
より好ましいのは上架台の嵌合部についても、梁部材の上被嵌部が上方から嵌め込まれ、所定の嵌合位置で固定されるような構造とし、その上で上架台及び下架台の少なくとも一方に、梁部材を前記の嵌合位置から所定量、即ち例えば梁部材の軸部（下被嵌部）が下架台の丸穴から殆ど抜け出すくらい持ち上げた状態で、その軸部を回動自在に保持する保持部を設けることである（請求項３）。
【００１５】
こうすれば、一旦、取り付けた梁部材を持ち上げて、上下の被嵌部の嵌め合いを緩めた状態でも、その梁部材の軸部が回動自在に保持されるようになり、この軸部の周りに梁部材を容易に回動させることができる。よって、防振架台の折り畳みが容易に行える。
【００１６】
また、好ましい構造として、前記梁部材を第１及び第２の２つの部材に分割しかつ該両部材同士を水平方向に折り畳み可能に連結してもよく（請求項４）、こうすれば防振架台をよりコンパクトに折り畳むことができる。その場合に、第１部材を相対的に剛性の高いものとし、これを梁部材の長手方向全体に、即ち防振架台の幅方向全体に亘って設けるのがよい（請求項５）。一方で第２部材は相対的に剛性の低いものでよく、その端部を前記第１部材の途中に回動可能に連結すればよい。
【００１７】
また、別の好ましい構造として、前記梁部材のいずれか一方の端部において軸部を、当該梁部材の長手方向にスライド移動可能に設けた別体の軸部材としてもよい（請求項６）。こうすれば、上述の如く梁部材を軸部の周りに回動させて、防振架台を折り畳んだ後にその軸部に対して梁部材を長手方向にスライド移動させることにより、折り畳んだ防振架台の長さを短縮することができる。
【００１８】
その場合に梁部材の他方の端部においては、当該梁部材の側方に偏位して（即ち、側方に出っ張るようにして）軸部を設けることが好ましい（請求項７）。こうすれば、前記のように軸部の周りに回動させた梁部材を架台ユニットの上架台に沿わせて、防振架台をよりコンパクトに折り畳むことができる。
【００１９】
さらにまた、前記梁部材の下被嵌部と前記下架台の嵌合部との間には弾性体を介在させることが好ましく、こうすれば機器の振動が上架台から梁部材の軸部を介して下架台に伝わることを抑制できる（請求項８）。
【発明の効果】
【００２０】
以上、説明したように本発明の防振架台は、一対の長尺状の架台ユニットを横並びに配設した簡易な構造を基本とし、組み立ての手間が掛からず重量やコストの削減も容易なものでありながら、それら架台ユニットの上架台ないし下架台同士を連結する梁部材を利用して上下の架台同士も連結する構造としたから、架台ユニットの捩れに対する剛性が高くなってその倒れ防止が図られる。よって、防振架台のぐらつきが少なくなって、設置作業も容易に行える。
【００２１】
また、前記梁部材を上架台の間に直線的に架け渡す構造とすれば、機器が直接、搭載される上架台の剛性を確保しやすい。その両端部に設けた丸棒状の軸部を下架台の丸穴（嵌合部）に嵌め込む構造とすれば、防振架台を折り畳むこともできる。
【００２２】
さらに、梁部材を２つの部材に分割して折り畳み可能に連結する構造としたり、或いは軸部の一方を梁部材の長手方向にスライド移動可能な別体の軸部材とすることによって、防振架台をよりコンパクトに折り畳めるようになる。
【図面の簡単な説明】
【００２３】
【図１】実施形態１の防振架台の平面図(a)、正面図(b)及び側面図(c)である。
【図２】梁部材の端部が嵌め込まれる架台ユニットの端部の拡大斜視図である。
【図３】架台ユニットの端部を防振架台の外側から視た斜視図である。
【図４】架台ユニットの端部を防振架台の内側から視た斜視図である。
【図５】防振架台の折り畳みを示す図１(a)相当図である。
【図６】実施形態２の防振架台に係る図１相当図である。
【図７】梁部材を分解して架台ユニットとの連結構造を示す図６(b)相当図である。
【図８】梁部材の端部が嵌め込まれる架台ユニットの端部の拡大斜視図である。
【図９】防振架台の折り畳みを示す図６(a)相当図である。
【図１０】実施形態３に係る図１相当図である。
【図１１】防振架台の折り畳みを示す図１０(a)相当図である。
【図１２】架台ユニットの一端部における折り畳みの動作を示す拡大斜視図である。
【図１３】架台ユニットの他端部における図１２相当図である。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
（実施形態１）
図１には、本発明に係る防振架台を所謂エアコン防振台とした実施形態の一例を示し、同図(a)は平面図、(b)、(c)はそれぞれ正面図、側面図である。この防振架台は、図示しない空調装置の室外機を設置するためのものであり、図の例では長尺状の架台ユニット１（所謂レール式防振台である）を横並びに一対、並べて配設し、それらの両端に後述する梁部材７，７を架け渡して、連結している。
【００２６】
この例では一対の架台ユニット１，１は同じものであり、各々断面矩形状の角パイプ（例えば構造用角形鋼管等）からなる長尺状の上架台２及び下架台３が、互いに上下方向に所定の間隔を空けて配置され、その間には上架台２及び下架台３の長手方向に離れて２つのアイソレータ４，４が介設されている。アイソレータ４は、上架台２及び下架台３の間の振動伝達を軽減する防振体であり、例えばコイルばねとゴムを一体成形したものや樹脂ケース内にコイルばねを内蔵したものが用いられる。
【００２７】
図示の架台ユニット１においては上架台２よりも下架台３が長く、その両端部がそれぞれ上架台２の端部よりも外方まで突出している。この突出する部位を覆うように、下架台３の両端部にはそれぞれ、鉄板をコ字状に折り曲げてなるベースプレート３１，３１，…が嵌着されている。一方、上架台２の両端部にはそれぞれ、鉄板を折り曲げてなるブラケット５が取り付けられていて、下方のベースプレート３１との間に、上架台２と下架台３との相対変位を規制するための耐震ストッパ機構６が構成されている。
【００２８】
すなわち、図１(a)において右下に位置するものについて図２、３に拡大して示すと、ブラケット５は、その長辺が上下の架台２，３の長手方向に延びる概略矩形状の床部５０と、この床部５０の短辺の縁から上方に立ち上がる竪壁部５１と、床部５０の長辺の縁から上方に立ち上がる側壁部５２とを備え、それら竪壁部５１及び側壁部５２の側縁同士が接合されている。竪壁部５１の上縁は、角パイプである上架台２の下壁の端縁に沿って折れ曲がり、その下壁の上面に沿って延びる延出部が形成されていて、ここにおいて上架台２の下壁にネジ留め（符号２１がネジの頭部を示す）により締結されている。一方、側壁部５２にも上架台２の側壁の内面に沿って延びる延出部が形成され、この延出部が側壁にネジ留め（図４にネジ２２及びナット２３を示す）されている。
【００２９】
また、前記ブラケット５の床部５０の略中央には、図示は省略するがボルト貫通穴が開口していて、ここにストッパボルト６０の軸部が遊嵌状態で挿通されている。このストッパボルト６０は、角パイプである下架台３の上壁にナット６１（図３にのみ破線で示す）により締結されていて、そこから上方に延びる軸部がベースプレート３１とガイドプレート６２とを貫通している。ガイドプレート６２は、ナット６１の厚み分だけベースプレート３１から離れていて、このナット６１とナット６３との間に挟持されている。
【００３０】
さらに、そうして上方に延びるストッパボルト６０の軸部は、前記のようにブラケット５の床部５０のボルト貫通穴に挿通されていて、その床部５０よりも上の部位にはリング状のゴムブッシュ６４と平座金６５とが外挿されるとともに、ナット６６が螺合されている。両図にはブラケット５の床部５０の上面にゴムブッシュ６４の接触している状態を示しているが、防振架台を使用するときにはナット６６の位置を調整して、両者の間に適当な大きさ（約２〜３ｍｍ程度）の隙間を形成する。このことで、地震等による上架台２及び下架台３の相対変位が制限される。
【００３１】
そして、この実施形態では、前記のように耐震ストッパ機構６を構成するためのブラケット５等を利用し、ここに梁部材７の端部を嵌め込んで固定するようにしている。すなわち、前記図２、３の他に図４にも示すように、梁部材７は鋼製の丸棒材からなり、その両端部にそれぞれ下向きに略直角に折れ曲がって延びる軸部７ａが設けられている。この軸部７ａは上架台２のブラケット５の床部５０を貫通し、その下方のガイドプレート６２、さらにはベースプレート３１や下架台３の上壁も貫通している。
【００３２】
すなわち、まず、梁部材７の端部において軸部７ａの付け根付近の部分７ｂが、ブラケット５の側壁部５２の上縁に開口するＵ字状の切り欠き５２ａに嵌め込まれている。換言すればその切り欠き５２ａが、梁部材７の上被嵌部７ｂ（前記した軸部７ａの付け根付近の部分）が嵌め込まれる上架台２の嵌合部であり、それがＵ字状、即ち下窄まりの形状になっていて、図示の嵌合位置においてしっかりと梁部材７と嵌合するようになる。
【００３３】
また、ブラケット５の床部５０には、梁部材７の軸部７ａが挿通される丸穴５０ａが開口しており、これを貫通して下方に延びる軸部７ａの下側の部分は、ガイドプレート６２に開口する丸穴６２ａに挿通され、さらにはベースプレート３１の丸穴３１ａ及びこれに連通する下架台３上壁の丸穴３ａ（以下、両者を合わせて下架台３上の丸穴３１ａ，３ａと略称する）に嵌入されている。
【００３４】
それらの丸穴５０ａ，６２ａ，３１ａ，３ａの開口径はいずれも軸部７ａの外径よりもやや大きめの適切な大きさに設定され、ルーズな嵌め合いになっている。特に、ブラケット５の床部５０の丸穴５０ａとガイドプレート６２の丸穴６２ａとは相対的に大きめで、軸部７ａの挿入ガイドとして機能する。一方、下架台３上の丸穴３１ａ，３ａは、やや小さめとされて、そこに嵌め込まれる軸部７ａの下端を保持しながら、振動の伝達は抑制するようになっている。つまり、この実施形態では前記下架台３上の丸穴３１ａ，３ａが、梁部材７の軸部７ａ（下被嵌部）が嵌め込まれる嵌合部である。
【００３５】
そうして、図示のように梁部材７の上下の被嵌部がそれぞれ上架台２及び下架台３の嵌合部に嵌め込まれた状態（嵌合位置）から、梁部材７を所定量、持ち上げれば、図４に仮想線で示すように軸部７ａの周りに回動させることができる。こうして持ち上げたときに軸部７ａの下端は下架台３上の丸穴３１ａ，３ａからは概ね抜け出すことになるが、軸部７ａの中間の部位は、ブラケット５の床部５０の丸穴５０ａとガイドプレート６２の丸穴６２ａとに挿入されたままで、ぐらつかずスムーズに回動させることができる。つまり、それらの丸穴５０ａ，６２ａは、梁部材７を嵌合位置から所定量、持ち上げた状態でその軸部７ａを回動自在に保持する機能も有している。
【００３６】
さらに、図２、４に示すように、ブラケット５の側壁部５２の上縁において切り欠き５２ａに対応する部位には、当該ブラケット５の内方に向かって略水平に延びる半円環状のガイド部５２ｂが設けられている。このガイド部５２ｂは、梁部材７の軸部７ａを挿入する際のガイドとなるものであるが、前記のように梁部材７を持ち上げた状態では、ガイドプレート６２の丸穴６２ａ等と同じく軸部７ａを保持する機能も有している。
【００３７】
尚、図３、４における符号３１ｂ，３ｂは、前記した丸穴３１ａ，３ａと同じく互いに連通するようにベースプレート３１及び下架台３上壁に形成された丸穴であり、その下架台３を基礎に固定するアンカーボルトが挿通される。また、図１、２、５における符号２ａは、上架台２を室外機の底部に固定する締結ボルトの挿通される丸穴である。
【００３８】
したがって、上述した実施形態１に係る防振架台によると、例えば空調装置の室外機を設置するときには、長尺状の一対の架台ユニット１，１を横並びに配設して、その両端部にそれぞれ梁部材７の両端の軸部７ａを嵌め込む。こうすると軸部７ａは、上架台２の端部のブラケット５の床部５０やガイドプレート６２を貫通して、下架台３上の丸穴３１ａに嵌め込まれるとともに、その軸部７ａの付け根付近（上被嵌部７ｂ）がブラケット５の側壁部５２の切り欠き５２ａに嵌め込まれ、それぞれの嵌合位置にしっかりと固定される（図２〜４を参照）。
【００３９】
この状態では、対をなす上架台２，２の両端部がぞれぞれ直線状の梁部材７，７によって連結されて矩形の枠状をなし、全体として高い剛性が確保されるのみならず、その梁部材７の軸部７ａによって上下の架台２，３同士が連結されることになり、架台ユニット１の捩れに対する剛性が高くなって、その倒れ防止が図られる。見方を変えれば、下架台３，３同士も梁部材７によって連結されて矩形枠状になっていると言うこともできる。
【００４０】
さらに、そうして防振架台を組み立てるときには、前記のように横並びに配置した架台ユニット１，１の両端部に、それぞれ梁部材７の両端の軸部７ａを上方から押し込めばよく、組み立ての手間が掛からないし、組み立てる前の架台ユニット１と梁部材７とはコンパクトに梱包できるので、設置場所への運搬もしやすい。また、予め工場で防振架台を組み立てた後に折り畳んで運搬し、設置場所で展開することもできる。
【００４１】
そうして折り畳んだり展開したりするときには、前記のように架台ユニット１，１の間に架け渡した梁部材７を少しだけ持ち上げて、上下の架台２，３の嵌合部との嵌め合いを緩めておき、この状態で梁部材７が軸部７ａの周りに回動するように架台ユニット１，１同士を近づける。こうすると、図５に示すように架台ユニット１，１を梁部材７，７によって連結したまま、防振架台を平行四辺形状に変形させてコンパクトに折り畳むことができる。
【００４２】
しかも、そうして梁部材７を少し持ち上げた状態でその両端の軸部７ａが、ブラケット５の側壁部５２のガイド部５２ｂや同床部５０の丸穴５０ａ、さらにはガイドプレート６２の丸穴６２ａによって回動自在に保持されているから、梁部材７の回動がスムーズなものになり、前記防振架台の折り畳みや展開が容易に行える。
【００４３】
ところで、この実施形態では梁部材７を鋼製の丸棒材によって構成しているが、これは鋼製或いはアルミ合金の丸パイプ等であってもよいし、後述する実施形態２のようにＬ字アングルを利用することもできる。
【００４４】
また、前記したように梁部材７の端部をブラケット５の側壁部５２の切り欠き５２ａに嵌め込み、かつその軸部７ａを下架台３上の丸穴３１ａ，３ａに嵌め込む構造は、一例に過ぎない。例えば、軸部７ａの中間に下窄まりのテーパ状部を形成し、これをブラケット５の床部５０の丸穴５０ａやガイドプレート６２の丸穴６２ａに嵌め込む構造としてもよい。
【００４５】
同様に下架台３上の丸穴３１ａ，３ａに嵌め込む軸部７ａの下端にも下窄まりのテーパ状部を形成してもよいし、この下架台３上の丸穴３１ａには、後述する実施形態２のようにゴムブッシュ等を嵌め込んでもよい。
【００４６】
（実施形態２）
次に、図６〜９には本発明の実施形態２に係る防振架台を示す。この実施形態２は、主に梁部材８の構造が実施形態１と異なっていて、その両端が取り付けられる上架台２及び下架台３の嵌合部の構造にも異なる部分があるが、それ以外の構造は実施形態１のものと同じなので、以下、概ね同じ構造の部材には同じ符号を付し、異なる部分についてのみ説明する。
【００４７】
この実施形態の梁部材８は、図の例ではＬ字アングル８０（第１部材）と丸棒部材８１（第２部材）とを組合せて、水平方向に折り畳み可能に連結したものであり、この梁部材８の両端からそれぞれ下方に延びる丸棒状の軸部８１ａ，８２ａが上架台２及び下架台３に連繋されている。すなわち、まず、Ｌ字アングル８０は、図６のように展開した状態では実施形態１の梁部材７と同様に、対をなす架台ユニット１，１の上架台２，２の端部間に直線的に架け渡されている。
【００４８】
そして、その一端（同図(a)の左下及び右上に示す端）には、図７や図８(a)にも示すように、板材を折り曲げてなる矩形ボックス状の部材８３を介して、Ｌ字状の丸棒からなる軸部材８２が取り付けられている。この軸部材８２のうち水平方向に延びる部分は、図７，８(a)に破線で示すようにボックス状部材８３内に収容されて、溶接若しくはネジ留めにより固定されている。一方、軸部材８２の垂直部分、即ち上下方向に延びる軸部８２ａは、ブラケット５の側壁部５２に設けられた突片部５３を貫通して下方に延び、さらにガイドプレート６２及びベースプレート３１を貫通している。
【００４９】
ここで、この実施形態のブラケット５は、実施形態１のものと同様に床部５０、竪壁部５１及び側壁部５２を備えているが、細部の構造は異なっている。すなわち、竪壁部５１の上縁から折れ曲がって延びる延出部は上架台２の下壁に下方から重ね合わされ、その両側縁からそれぞれ上方に立ち上がる延出側壁５４，５５と併せて、上方に開口するコ字状に形成されている。尚、図の例では延出側壁５５が側壁部５２に連続している。そして、それら両延出側壁５４，５５が上架台２の側壁に外側から重ね合わされて、横方向に貫通するネジ２４とナット２５とにより締結されている。
【００５０】
また、この実施形態のブラケット５において側壁部５２には、実施形態１のようなＵ字状の切り欠き５２ａや環状のガイド部５２ｂが設けられておらず、その代わりに側壁部５２の側縁（図８(a)の手前の縁）に開口する切り欠き５２ｃと、側壁部５２の上縁から外方に延びるガイド部５６とが設けられている。このガイド部５６は、図８(a)の手前側に開口する切り欠きを有し、以下に述べる突片部５３の丸穴５３ａ（同図(b)を参照）等に軸部材８２の軸部８２ａを嵌め入れるときのガイドとして機能する。
【００５１】
すなわち、前記の突片部５３には、実施形態１における床部５０の丸穴５０ａと同じく軸部材８２の軸部８２ａが貫通する丸穴５３ａが形成され、この丸穴を通過して下方に延びる軸部８２ａの下側の部分が、ガイドプレート６２の丸穴６２ａとベースプレート３１の丸穴３１ａとに嵌め込まれる。図の例では突片部５３がブラケット５の側壁部５２から上架台２の幅方向外方（図の右方）に突出し、これに対応してガイドプレート６２及びベースプレート３１の一部分が下架台３の外方に延出していて、この延出部分に丸穴６２ａ，３１ａが形成されている。
【００５２】
また、図の例では、それらの丸穴３１ａ，６２ａに共通のゴムブッシュ３２が嵌め込まれており、このゴムブッシュ３２を間に介在させて軸部８２ａの下側の部分が嵌め込まれている。つまり、図８(a)に示す梁部材８の一端部においては、ベースプレート３１及びガイドプレート６２の丸穴３１ａ，６２ａが、当該梁部材８（Ｌ字アングル８０）の一端の軸部８２ａが嵌め込まれる下架台３の嵌合部であり、この嵌合部と下被嵌部である軸部８２ａとの間にゴムブッシュ３２が介在されることで、振動の伝達が抑制されるようになっている。
【００５３】
さらに、前記ブラケット５の側壁部５２の切り欠き５２ｃには、ボックス状部材８３の端部に取り付けられた締付ボルト８４の軸部が嵌め込まれて、ナット８５を締め付けることにより梁部材８（Ｌ字アングル８０）の一端部が締結されるようになっている。また、そうして締め付けたナット８５を緩めてからＬ字アングル８０を、図８(a)において奥に向かうよう軸部８２ａの周りに回動させと、締付ボルト８４の軸部は切り欠き５２ｃから抜け出すことになる。つまり、この締付ボルト８４の軸部が梁部材８の上被嵌部であり、これが嵌め込まれる切り欠き５２ｃが、上架台２の嵌合部である。
【００５４】
前記のように構成されたＬ字アングル８０に組み合わされる丸棒部材８１は、図７に分解して示すように、Ｌ字アングル８０に沿って略水平に延びる部分の先端（同図の左端）が、当該Ｌ字アングル８０の途中に回動可能にピン留めされている。すなわちＬ字アングル８０の長手方向の中間部においてその上壁部から下方に垂下するようにボルト８６が配設されていて、その軸部に、丸棒部材８１の先端に設けられた環状部８１ｂが外挿され、ナット８７により抜け止めがなされている。
【００５５】
また、丸棒部材８１の基端（図の右端）には下向きに略直角に折れ曲がって延びる軸部８１ａが設けられていて、この軸部８１ａが前記した軸部材８２の軸部８２ａと同様に、上架台２のブラケット５の突片部５３と、ガイドプレート６２及びベースプレート３１とを貫通するようになっている。すなわち、図８(b)に示すように梁部材８の他端部におけるブラケット５は、前記した一端部のものと略同様に構成され、その側壁部５２に設けられた突片部５３の丸穴５３ａに丸棒部材８１の軸部８１ａが挿通されている。
【００５６】
一方、この他端のブラケット５においては側壁部５２の側方に開口する切り欠き５２ｃは設けられておらず、その代わりに実施形態１のもの（切り欠き５２ａ）と同様に上縁に開口する切り欠き５２ｄが設けられている。この切り欠き５２ｄには、Ｌ字アングル８０の他端部に配設された締付ボルト８８の軸部が上方から嵌め込まれ、ナット８９により締め付けられる。換言すれば、この締付ボルト８８の軸部が梁部材８の他端部における上被嵌部であり、これが嵌め込まれる前記切り欠き５２ｄが上架台２の嵌合部である。
【００５７】
そして、以上のように構成された実施形態２の防振架台は、図６のように展開された状態では、対をなす架台ユニット１，１の間に高剛性のＬ字アングル８０が架け渡されて、その両端部がそれぞれ上架台２の端部のブラケット５に締付ボルト８４，８８により締結され、両端の軸部８１ａ，８２ａによる嵌め合いとも併せて強固に固定される。よって、上架台２，２と梁部材８，８とがしっかりとした枠状をなし、全体として高い剛性を確保することができる。
【００５８】
一方で相対的に剛性の低い丸棒部材８１は、防振架台を折り畳むときにＬ字アングル８０を支えるものである。すなわち、前記のように展開されている防振架台を折り畳むときには、まず、梁部材８の両端部においてそれぞれＬ字アングル８０の端部のナット８５，８９を緩める。それからＬ字アングル８０の他端部（図８(b)に示す）を上方に持ち上げて、締付ボルト８８の軸部を切り欠き５２ｄから取り出した後に、同図において奥に向かうよう軸部８１ａの周りに少しだけ回動させる。
【００５９】
そうしておいて、図９(a)に示すように架台ユニット１，１同士を近づけると、Ｌ字アングル８０がその一端部の軸部８２ａの周りに回動するとともに、丸棒部材８１がその軸部８１ａの周りに回動して、両者を併せた梁部材８全体がパンタグラフのように折り畳まれる。こうして、架台ユニット１，１を梁部材８，８によって連結したまま、同図(b)に示すように防振架台をコンパクトに折り畳むことができる。
【００６０】
尚、この実施形態２においては前記したようにＬ字アングル８０の両端にそれぞれ締付ボルト８４，８８を設けて、ブラケット５の側壁部５２に締結するようにしているが、これはしなくてもよい。また、梁部材８をＬ字アングル８０と丸棒部材８１とによって構成する必要もなく、両者をいずれもＬ字アングルによって構成することも、また、棒部材やパイプによって構成することも可能である。
【００６１】
（実施形態３）
次に図１０〜１３には、本発明の実施形態３に係る防振架台を示す。この実施形態３の防振架台も梁部材９とその両端が嵌め込まれる上架台２や下架台３の嵌合部の構造に、実施形態１、２とは異なる部分があるが、それ以外の構造は実施形態１、２のものと同じなので、以下、概ね同じ構造の部材には同じ符号を付し、異なる部分のみ説明する。
【００６２】
この実施形態３の特徴は、図１１に示すように防振架台を折り畳むと梁部材９が上下の架台２，３に沿って概ね平行に延びるようになり（同図(a)）、その後、梁部材９を角パイプである上架台２の内部に収容することで（同図(b)）、全長が短縮されることにある。そのために、例えば同図において下側の架台ユニット１（上架台２）の一端（図の左端）においては、拡大して図１２に示すように梁部材９の一端の軸部が別体の軸部材９１により構成されて、丸棒材からなる梁部材９の本体部９０に対してその長手方向にスライド移動可能に取り付けられている。一方、架台ユニット１の他端（図の右端）においては、拡大して図１３にも示すように、梁部材９の本体部９０の端部にはその側方に偏位するようにクランク部材９２を介して軸部材９３が取り付けられている。
【００６３】
詳しくは、まず、前記のように上架台２の両端にそれぞれ配設されているブラケット５は、実施形態１、２のものと同じく床部５０、竪壁部５１及び側壁部５２を有し、その床部５０に開口する丸穴５０ａには梁部材９の軸部である軸部材９１，９３が挿通されている。また、それら軸部材９１，９３の下側の部分は、ガイドプレート６２の丸穴６２ａと下架台３上の丸穴３１ａ（下架台３の嵌合部）とに嵌入されている。
【００６４】
同様にブラケット５の側壁部５２には、その上縁に開口するＵ字状の切り欠き５２ａが形成されて、梁部材９の両端部が嵌め込まれるようになっている。すなわち、上架台２の一端部のブラケット５においては、図１２(a)に示すように側壁部５２の切り欠き５２ａに、梁部材本体部９０の端部付近（上被嵌部９０ａ）が上方から嵌め込まれる。この部位よりも先端側で梁部材本体部９０は、軸部材９１の上端に形成された平板部の丸穴９１ａを貫通しており、その先端には抜け止めのための矩形片９０ｂが溶接されている。
【００６５】
一方、上架台２の他端部おいては、図１３(a)に示すようにブラケット５の側壁部５２の切り欠き５２ａに、クランク部材９２の折曲部付近（上被嵌部９２ａ）が上方から嵌め込まれる。図示のようにクランク部材９２は下方に開口する断面コ字状のものであり、その基端部には軸部材９３の上端が下方から嵌め込まれて溶接されている一方、先端側には梁部材本体部９０の端部が挿入されて溶接ないしネジ留めされている。
【００６６】
そして、前記図１１(a)に示すように防振架台を折り畳むときには、図１３(a)に仮想線の矢印で示すように、梁部材９を少し持ち上げてから軸部材９３の周りに約９０°回動させることになるが、こうすると同図(b)に示すように梁部材９は、クランク部材９２を上架台２上に乗り上げた状態で当該上架台２の側方を概ね平行に延びるようになる。
【００６７】
このとき、図１２に示した上架台２の一端部においても梁部材９の本体部９０が軸部材９１の周りに約９０°回動して、同図(b)や前記図１１(a)にも示すように上架台２と直列に並んで概ね一直線上に位置するようになる。そこで、この状態から軸部材９１の丸穴９１ａをガイドにして、同図に仮想線の矢印で示すように梁部材本体部９０をその軸心方向に移動させ、角パイプである上架台２の内部に挿入することができる（図１１(b)）。
【００６８】
したがって、この実施形態３に係る防振架台によると、図１０のように展開された状態では、実施形態１のものと同様に梁部材９の両端の上被嵌部９０ａ，９２ａが上架台２のブラケット５に嵌め合わされるとともに、その付近から下方に延びる軸部材９１，９３（下被嵌部）がブラケット５の床部５０とガイドプレート６２とを貫通して、下架台３上の丸穴３１ａに嵌め込まれることで、上架台２，２と梁部材９，９とがしっかりとした枠状をなすとともに、軸部材９１，９３によって上下の架台２，３同士が連結されて、架台ユニット１の捩れに対する剛性が高くなり、その倒れ防止が図られる。
【００６９】
また、図１１(a)に示すように防振架台を折り畳むときには、まず、梁部材９を持ち上げてその両端部の軸部材９１，９３の上下の架台２，３との嵌め合いを緩めた後に、梁部材９，９がそれぞれ軸部材９１，９３の周りに回動するように架台ユニット１，１同士をその幅方向に近づけて、同図に実線で示すように一対の架台ユニット１，１を梁部材９，９によって連結したまま直線状に折り畳む。
【００７０】
このとき、図示のように梁部材９，９は、その一端部が軸部材９１を介して連結されている架台ユニット１の上架台２とは、概ね一直線上に直列に位置し、また、他端部がクランク部材９２及び軸部材９３を介して連結されている架台ユニット１の上架台２とは、略平行に並ぶようになる。よって、この状態から架台ユニット１，１同士を今度は長手方向に移動させて、その上架台２の内部に軸部材９を挿入すれば、同図(b）のように防振架台の全長が短縮される。
【００７１】
尚、この実施形態３においては梁部材９の本体部９０の他端部に別体のクランク部材９２と軸部材９３とを取り付けているが、梁部材９の本体部９０を折り曲げてクランク部や軸部を設けることも可能である。また、そうしてクランク部を設けなくても梁部材９の一部を上架台２の内部に収容することは可能である。
【００７２】
さらに、本発明に係る防振架台の構造は、前記した実施形態１〜３のものに限定されず、それ以外の種々の構成をも包含する。例えば各実施形態ではいずれも、梁部材７〜９を架台ユニット１，１の上架台２，２の間に架け渡しているが、これに限らず、下架台３，３の間に架け渡し、上方に延びる軸部等を上架台２に嵌め込むようにしてもよい。或いは梁部材を上下の架台２，３の中間の高さに架け渡して、その両端から上下にそれぞれ延びる軸部を上架台２、下架台３に嵌め込むようにしてもよい。
【００７３】
また、上架台２や下架台３は角パイプによって構成する必要はないし、梁部材７〜９も含めて前記した実施形態１〜３に記載されている部材の形状や材料等は全て単なる例示に過ぎないことは言うまでもない。
【００７４】
さらにまた、本発明に係る防振架台は、上述の実施形態のようなエアコン防振台に限定されず、例えば液体ポンプユニットやボイラー等、種々の設備機器の防振架台としても適用可能である。
【産業上の利用可能性】
【００７５】
以上、説明したように本発明は、長尺状の架台ユニットを横並びに設けた簡易な構造で組み立ての手間が掛からず、重量やコストを削減できる上に設置作業も容易になるから、汎用の防振架台として有用なものである。
【符号の説明】
【００７６】
１        架台ユニット
２        上架台
３        下架台
３ａ    丸穴（下架台の嵌合部）
３１    ベースプレート
３１ａ  丸穴（下架台の嵌合部）
３２    ゴムブッシュ（弾性体）
４        アイソレータ（防振体）
５        ブラケット
５０    床部
５１    竪壁部
５２    側壁部
５２ａ  切り欠き（上架台の嵌合部）
５２ｂ  ガイド部（保持部）
５２ｃ、５２ｄ    切り欠き（上架台の嵌合部）
５３    突片部
５３ａ  丸穴（上架台の嵌合部）
６        耐震ストッパ機構
６２    ガイドプレート
６２ａ  丸穴（保持部）
７        梁部材
７ａ      軸部（下被嵌部）
７ｂ      上被嵌部
８        梁部材
８０    Ｌ字アングル（第１部材）
８１    丸棒部材（第２部材）
８１ａ  軸部（下被嵌部）
８２    軸部材（軸部、下被嵌部）
８４，８８    締付ボルト（上被嵌部）
９        梁部材
９０    本体部
９０ａ  上被嵌部
９１    軸部材（軸部、下被嵌部）
９２    クランク部材
９２ａ  上被嵌部
９３    軸部材（軸部、下被嵌部）
【図１】
2011007232.tif 000003
【図２】
2011007232.tif 000004
【図３】
2011007232.tif 000005
【図４】
2011007232.tif 000006
【図５】
2011007232.tif 000007
【図６】
2011007232.tif 000008
【図７】
2011007232.tif 000009
【図８】
2011007232.tif 000010
【図９】
2011007232.tif 000011
【図１０】
2011007232.tif 000012
【図１１】
2011007232.tif 000013
【図１２】
2011007232.tif 000014
【図１３】
2011007232.tif 000015